(57)【要約】【課題】係止部の永久変形や損傷を防止でき、可動ハウジングの仮係止を安定して行うことができるコネクタを提供する。【解決手段】一対のコネクタハウジング３，５と、一方のコネクタハウジング３に設けられた嵌合部７と、他方のコネクタハウジング５に設けられた被嵌合部９とを備えたコネクタ１において、被嵌合部９が、フレーム１１と、このフレーム１１内に一方のコネクタハウジング３の嵌合方向に移動可能に配置され嵌合部７との嵌合を完了するタイミングがフレーム１１と異なる可動ハウジング１３とを有し、フレーム１１と可動ハウジング１３に、可動ハウジング１３をフレーム１１内に仮係止させる撓み可能な係止部１５を設け、係止部１５を、嵌合部７と可動ハウジング１３との嵌合が完了した状態で、可動ハウジング１３の仮係止を解除して復元させ、復元された係止部１５の周囲を、保護部１７によって覆った。【選択図】図１
2016085897.tif 000002
【特許請求の範囲】
【請求項１】
一対のコネクタハウジングと、この一対のコネクタハウジングのうち一方のコネクタハウジングに設けられた嵌合部と、他方のコネクタハウジングに設けられ前記嵌合部が嵌合される被嵌合部とを備えたコネクタであって、
前記被嵌合部は、フレームと、このフレーム内に前記一方のコネクタハウジングの嵌合方向に移動可能に配置され前記嵌合部との嵌合を完了するタイミングが前記フレームと異なる可動ハウジングとを有し、
前記フレームと前記可動ハウジングとのうち少なくともいずれか一方には、前記可動ハウジングを前記フレーム内に仮係止させる撓み可能な係止部が設けられ、
前記係止部は、前記嵌合部と前記可動ハウジングとの嵌合が完了した状態で、前記可動ハウジングの仮係止を解除して復元され、
復元された前記係止部は、周囲を保護部によって覆われていることを特徴とするコネクタ。
【請求項２】
請求項１記載のコネクタであって、
前記係止部は、前記可動ハウジングに設けられた第１係止部と、前記フレームに設けられた第２係止部とを有し、
前記第１係止部は、前記嵌合部と前記可動ハウジングとが嵌合するときに、前記嵌合部との当接により撓まされ前記フレームに設けられた第１被係合部に係止して前記可動ハウジングを前記フレーム内に保持させ、
前記第２係止部は、前記嵌合部と前記可動ハウジングとが嵌合するときに、前記一方のコネクタハウジングに設けられた解除部との当接により撓まされ前記可動ハウジングの仮係止を解除することを特徴とするコネクタ。
【請求項３】
請求項１又は２記載のコネクタであって、
前記可動ハウジングは、前記フレーム内に複数配置され、
前記複数の可動ハウジングは、前記嵌合部との嵌合を完了するタイミングがそれぞれ異なることを特徴とするコネクタ。
【発明の詳細な説明】
【技術分野】
【０００１】
本発明は、コネクタに関する。
【背景技術】
【０００２】
従来、コネクタとしては、一対のコネクタハウジングと、一対のコネクタハウジングのうち一方のコネクタハウジングに設けられた嵌合部と、他方のコネクタハウジングに設けられ嵌合部が嵌合される被嵌合部とを備えたものが知られている（例えば、特許文献１参照）。
【０００３】
このコネクタでは、一方のコネクタハウジングの嵌合部が、固定ターミナルホルダが設けられたフレームとしてのアウターハウジングと、アウターハウジング内にコネクタハウジングの嵌合方向に移動可能に配置された可動ハウジングとしての可動ターミナルホルダとを有する。
【０００４】
そして、可動ターミナルホルダは、アウターハウジングの固定ターミナルホルダよりもコネクタハウジングの嵌合方向に先行した状態で仮係止されている。このため、一対のコネクタハウジングを嵌合させると、可動ターミナルホルダが固定ターミナルホルダより先に他方のコネクタハウジングの被嵌合部との嵌合を完了した後、固定ターミナルホルダが他方のコネクタハウジングの被嵌合部との嵌合を完了する。
【０００５】
このようにアウターハウジングと可動コネクタハウジングとの嵌合を完了するタイミングを異ならせることにより、一対のコネクタハウジングの嵌合力を分散することができ、コネクタハウジング内に収容される端子などの多極化に対応することができる。
【先行技術文献】
【特許文献】
【０００６】
【特許文献１】特開平６−１１１８８２号公報
【発明の概要】
【発明が解決しようとする課題】
【０００７】
ところで、上記特許文献１のようなコネクタでは、可動ハウジングをフレーム内に仮係止させるために、フレームに係止される撓み可能な係止部を可動ハウジングに設けている。この係止部は、一対のコネクタハウジングを嵌合させることにより、他方のコネクタハウジングに設けられた係合解除片によって撓まされ、可動ハウジングの仮係止を解除する。
【０００８】
しかしながら、上記特許文献１のようなコネクタでは、可動ハウジングの仮係止を解除した係止部が撓まされたままの状態で、可動ハウジングの嵌合が完了してしまう。このため、係止部に永久変形が起こり、可動ハウジングを安定して仮係止できなくなってしまう恐れがあった。
【０００９】
一方、上記特許文献１のようなコネクタでは、係止部が復元された状態、すなわち係止部の自由状態で、係止部が可動ハウジングから大きく露出しており、係止部に損傷が発生するなど、可動ハウジングを安定して仮係止できなくなってしまう恐れがあった。
【００１０】
そこで、この発明は、係止部の永久変形や損傷を防止でき、可動ハウジングの仮係止を安定して行うことができるコネクタの提供を目的としている。
【課題を解決するための手段】
【００１１】
請求項１記載の発明は、一対のコネクタハウジングと、この一対のコネクタハウジングのうち一方のコネクタハウジングに設けられた嵌合部と、他方のコネクタハウジングに設けられ前記嵌合部が嵌合される被嵌合部とを備えたコネクタであって、前記被嵌合部は、フレームと、このフレーム内に前記一方のコネクタハウジングの嵌合方向に移動可能に配置され前記嵌合部との嵌合を完了するタイミングが前記フレームと異なる可動ハウジングとを有し、前記フレームと前記可動ハウジングとのうち少なくともいずれか一方には、前記可動ハウジングを前記フレーム内に仮係止させる撓み可能な係止部が設けられ、前記係止部は、前記嵌合部と前記可動ハウジングとの嵌合が完了した状態で、前記可動ハウジングの仮係止を解除して復元され、復元された前記係止部は、周囲を保護部によって覆われていることを特徴とする。
【００１２】
このコネクタでは、係止部が、嵌合部と可動ハウジングとの嵌合が完了した状態で、可動ハウジングの仮係止を解除して復元されるので、可動ハウジングの仮係止を解除した係止部が撓まされたままの状態で、可動ハウジングの嵌合が完了してしまうことがない。
【００１３】
このため、可動ハウジングの嵌合が完了した状態では、係止部が撓まされたまま保持されることがないので、係止部の永久変形を防止することができる。
【００１４】
また、復元された係止部は、周囲を保護部によって覆われているので、係止部が自由状態で外部に露出することがなく、周辺部材との干渉を防止でき、係止部の損傷を防止することができる。
【００１５】
従って、このようなコネクタでは、係止部の永久変形や損傷を防止でき、可動ハウジングの仮係止を安定して行うことができる。
【００１６】
請求項２記載の発明は、請求項１記載のコネクタであって、前記係止部は、前記可動ハウジングに設けられた第１係止部と、前記フレームに設けられた第２係止部とを有し、前記第１係止部は、前記嵌合部と前記可動ハウジングとが嵌合するときに、前記嵌合部との当接により撓まされ前記フレームに設けられた第１被係合部に係止して前記可動ハウジングを前記フレーム内に保持させ、前記第２係止部は、前記嵌合部と前記可動ハウジングとが嵌合するときに、前記一方のコネクタハウジングに設けられた解除部との当接により撓まされ前記可動ハウジングの仮係止を解除することを特徴とする。
【００１７】
このコネクタでは、第１係止部が嵌合部と可動ハウジングとが嵌合するときに、可動ハウジングをフレーム内に保持し、第２係止部が一対のコネクタハウジングの嵌合前に、可動ハウジングをフレーム内に保持するので、可動ハウジングの嵌合が完了するまでの間に、可動ハウジングをフレーム内に確実に仮係止させることができる。
【００１８】
請求項３記載の発明は、請求項１又は２記載のコネクタであって、前記可動ハウジングは、前記フレーム内に複数配置され、前記複数の可動ハウジングは、前記嵌合部との嵌合を完了するタイミングがそれぞれ異なることを特徴とする。
【００１９】
このコネクタでは、複数の可動ハウジングが、嵌合部との嵌合を完了するタイミングがそれぞれ異なるので、一対のコネクタハウジングの嵌合力をさらに分散することができ、一対のコネクタハウジングの嵌合作業性を向上することができる。
【発明の効果】
【００２０】
本発明によれば、係止部の永久変形や損傷を防止でき、可動ハウジングの仮係止を安定して行うことができるコネクタを提供することができるという効果を奏する。
【図面の簡単な説明】
【００２１】
【図１】本発明の実施の形態に係るコネクタの分解斜視図である。
【図２】本発明の実施の形態に係るコネクタの他方のコネクタハウジングのフレームに可動ハウジングを組付けるときの断面図である。
【図３】本発明の実施の形態に係るコネクタの他方のコネクタハウジングのフレームに可動ハウジングを組付けるときの断面図である。
【図４】本発明の実施の形態に係るコネクタの他方のコネクタハウジングのフレームに可動ハウジングを組付けるときの断面図である。
【図５】本発明の実施の形態に係るコネクタの他方のコネクタハウジングのフレームに可動ハウジングを組付けたときの断面図である。
【図６】本発明の実施の形態に係るコネクタのフレームの斜視図である。
【図７】本発明の実施の形態に係るコネクタの一方のコネクタハウジングの斜視図である。
【図８】本発明の実施の形態に係るコネクタの一方のコネクタハウジングの一部を断面とした斜視図である。
【図９】本発明の実施の形態に係るコネクタの一対のコネクタハウジングが嵌合を開始したときの断面図である。
【図１０】本発明の実施の形態に係るコネクタの一対のコネクタハウジングの嵌合途中の断面図である。
【図１１】本発明の実施の形態に係るコネクタの一対のコネクタハウジングの嵌合途中の断面図である。
【図１２】本発明の実施の形態に係るコネクタの一対のコネクタハウジングの嵌合が完了したときの断面図である。
【発明を実施するための形態】
【００２２】
図１〜図１２を用いて本発明の実施の形態に係るコネクタについて説明する。
【００２３】
本実施の形態に係るコネクタ１は、一対のコネクタハウジング３，５と、この一対のコネクタハウジング３，５のうち一方のコネクタハウジング３に設けられた嵌合部７と、他方のコネクタハウジング５に設けられ嵌合部７が嵌合される被嵌合部９とを備えている。
【００２４】
また、被嵌合部９は、フレーム１１と、このフレーム１１内に一方のコネクタハウジング３の嵌合方向に移動可能に配置され嵌合部７との嵌合を完了するタイミングがフレーム１１と異なる可動ハウジング１３とを有する。
【００２５】
さらに、フレーム１１と可動ハウジング１３とには、可動ハウジング１３をフレーム１１内に仮係止させる撓み可能な係止部１５が設けられている。
【００２６】
そして、係止部１５は、嵌合部７と可動ハウジング１３との嵌合が完了した状態で、可動ハウジング１３の仮係止を解除して復元される。
【００２７】
また、復元された係止部１５は、周囲を保護部１７によって覆われている。
【００２８】
さらに、係止部１５は、可動ハウジング１３に設けられた第１係止部１９と、フレーム１１に設けられた第２係止部２１とを有する。
【００２９】
また、第１係止部１９は、嵌合部７と可動ハウジング１３とが嵌合するときに、嵌合部７との当接により撓まされフレーム１１に設けられた第１被係合部２３に係止して可動ハウジング１３をフレーム１１内に保持させる。
【００３０】
さらに、第２係止部２１は、嵌合部７と可動ハウジング１３とが嵌合するときに、一方のコネクタハウジング３に設けられた解除部２５との当接により撓まされ可動ハウジング１３の仮係止を解除する。
【００３１】
また、可動ハウジング１３は、フレーム１１内に複数配置され、複数の可動ハウジング１３，１３は、嵌合部７との嵌合を完了するタイミングがそれぞれ異なる。
【００３２】
図１〜図１２に示すように、一対のコネクタハウジング３，５のうち一方のコネクタハウジング３は、合成樹脂などの絶縁性材料からなり、一側面側に他方のコネクタハウジング５の被嵌合部９に嵌合される複数（ここでは３つ）の嵌合部７が設けられている。
【００３３】
複数の嵌合部７内には、それぞれ一方のコネクタハウジング３の他側面に設けられた複数の開口から複数の端子（不図示）が挿入されて収容配置される。なお、複数の端子は、それぞれ電源や機器などに接続された電線（不図示）の端末部に圧着などによって電気的に接続されている。
【００３４】
この一方のコネクタハウジング３は、複数の嵌合部７側を他方のコネクタハウジング５側に移動させることにより、複数の嵌合部７と、他方のコネクタハウジング５の被嵌合部９とが嵌合される。
【００３５】
他方のコネクタハウジング５は、車両に配置された静止系部材としてのピラー２７の取付孔２９に撓み可能に設けられた仮ロック部３１を介して取り付けられ、ピラー２７の取付孔２９から被嵌合部９の一側面に位置する開口側が露出される。
【００３６】
この被嵌合部９には、一方のコネクタハウジング３の嵌合部７が嵌合される。このような被嵌合部９は、フレーム１１と、複数（ここでは２つ）の可動ハウジング１３とを有する。
【００３７】
なお、一方のコネクタハウジング３の嵌合部７の上面には係合部３３が設けられ、他方のコネクタハウジング５の被嵌合部９の上面には撓み可能にロック部３５が設けられ、係合部３３とロック部３５とが係合することにより一対のコネクタハウジング３，５の嵌合状態が保持される。
【００３８】
フレーム１１は、合成樹脂などの絶縁性材料からなり、複数（ここでは３つ）の収容室３７を区画するように筐体状に形成されている。複数の収容室３７のうち中央部に位置する収容室３７の底部側には、一方のコネクタハウジング３に収容された複数の端子に接続される複数の相手端子が他面側に設けられた複数の開口から挿入されて収容配置される。
【００３９】
なお、複数の相手端子は、それぞれ電源や機器などに接続された電線（不図示）の端末部に圧着などによって電気的に接続されている。
【００４０】
複数の収容室３７のうち両側に位置する収容室３７，３７内には、フレーム１１の他側面側の開口からそれぞれ可動ハウジング１３，１３が挿入され、可動ハウジング１３がフレーム１１内に一方のコネクタハウジング３の嵌合方向に移動可能に収容配置される。
【００４１】
可動ハウジング１３，１３は、合成樹脂などの絶縁性材料からなり、フレーム１１の両側に位置する収容室３７，３７内にそれぞれ収容配置される。この可動ハウジング１３の底部側には、フレーム１１の中央部に位置する収容室３７と同様に、複数の相手端子が他面側に設けられた複数の開口からそれぞれ挿入されて収容配置される。
【００４２】
このような可動ハウジング１３，１３は、フレーム１１の収容室３７，３７内において、フレーム１１内に配置された状態から可動ハウジング１３，１３が一方のコネクタハウジング３の嵌合部７との嵌合完了状態に至るまでの間に、係止部１５によってフレーム１１内における仮係止状態が保持される。
【００４３】
係止部１５は、可動ハウジング１３，１３にそれぞれ設けられた第１係止部１９，１９と、フレーム１１の両側に位置する収容室３７，３７に設けられた第２係止部２１，２１とを有する。
【００４４】
なお、可動ハウジング１３，１３の第１係止部１９，１９及びフレーム１１の第２係止部２１，２１は、同様の構成であり、仮係止を解除するタイミングが異なるだけであるので、以下では一方の可動ハウジング１３の第１係止部１９と、フレーム１１の一方の第２係止部２１とについて説明する。
【００４５】
第１係止部１９は、可動ハウジング１３の両側面に、それぞれ一方のコネクタハウジング３の嵌合方向前側を基端とし、嵌合方向後側を自由端とする撓み可能な一対の弾性片からなる。また、第１係止部１９の自由端側には、フック状に設けられた第１係合部３９が設けられている。
【００４６】
この第１係止部１９は、一方のコネクタハウジング３の嵌合部７がフレーム１１及び可動ハウジング１３の開口から挿入されることにより、嵌合部７の両側面にそれぞれ突設された変位突起４１が当接し、可動ハウジング１３の外方に向けて撓まされる。
【００４７】
このとき、第１係止部１９の外方に位置するフレーム１１の収容室３７の両側壁には、段部からなる第１被係合部２３が設けられており、外方に撓まされた第１係止部１９の第１係合部３９が第１被係合部２３に係合する。
【００４８】
この第１係止部１９の第１係合部３９と第１被係合部２３との係合により、可動ハウジング１３がフレーム１１内を移動することがなく、可動ハウジング１３のフレーム１１に対する仮係止位置を保持することができる。
【００４９】
そして、一方のコネクタハウジング３の嵌合部７と可動ハウジング１３との嵌合が完了した状態では、嵌合部７の変位突起４１と第１係止部１９との当接が終了し、第１係止部１９が初期位置に復元され、第１係合部３９と第１被係合部２３との係合が解除される。
【００５０】
このように第１係止部１９は、一方のコネクタハウジング３の嵌合部７と可動ハウジング１３との嵌合が完了した状態で、初期位置に復元されるので、第１係止部１９に永久変形が起きることを防止することができる。
【００５１】
このような第１係止部１９の係合のタイミングは、第２係止部２１による可動ハウジング１３の仮係止が解除されるときに係合が開始され、嵌合部７と可動ハウジング１３とが完全に嵌合したときに係合が解除される。
【００５２】
第２係止部２１は、フレーム１１の収容室３７内の上方に、一方のコネクタハウジング３の嵌合方向前側を基端とし、嵌合方向後側を自由端とする撓み可能な弾性片からなる。また、第２係止部２１の自由端側には、傾斜面を有する第２係合部４３が設けられている。
【００５３】
この第２係合部４３の側方には、不図示ではあるが、一方のコネクタハウジング３に設けられた解除部２５と摺動する傾斜面を有する摺動部が設けられている。
【００５４】
この第２係止部２１は、可動ハウジング１３をフレーム１１の収容室３７に挿入することにより、第２係合部４３が可動ハウジング１３の上面に設けられた傾斜面を有する第２被係合部４５に当接される。
【００５５】
この状態からさらに可動ハウジング１３をフレーム１１の収容室３７に挿入することにより、第２係合部４３が第２被係合部４５の傾斜面に沿って摺動し、第２係止部２１が上方に向けて撓まされ、第２被係合部４５の傾斜面を乗り越えることによって第２係止部２１が復元し、第２係合部４３が第２被係合部４５の背面側に係合される。
【００５６】
この第２係止部２１の第２係合部４３と第２被係合部４５との係合により、可動ハウジング１３のフレーム１１の収容室３７内からの抜け止めがなされ、可動ハウジング１３がフレーム１１に仮係止された状態となる。この可動ハウジング１３の仮係止状態は、一方のコネクタハウジング３に設けられた解除部２５によって解除される。
【００５７】
解除部２５は、一方のコネクタハウジング３の嵌合部７の上面側に、一対のコネクタハウジング３，５の嵌合方向に向けて延設されている。この解除部２５は、一対のコネクタハウジング３，５が嵌合することにより、フレーム１１の収容室３７内に挿入され、第２係止部２１の摺動部の傾斜面に沿って摺動し、第２係止部２１を上方に向けて撓ませる。
【００５８】
この第２係止部２１の撓みにより、第２係止部２１の第２係合部４３と第２被係合部４５との係合が解除、すなわちフレーム１１に対する可動ハウジング１３の仮係止状態が解除され、可動ハウジング１３がフレーム１１の収容室３７内を一方のコネクタハウジング３の嵌合方向前側に向けて移動可能となる。
【００５９】
そして、第１係止部１９が係合を開始させるときには、一方のコネクタハウジング３の解除部２５と第２係止部２１の摺動部との当接が終了し、第２係止部２１が初期位置に復元され、第２係止部２１の第２係合部４３と第２被係合部４５との係合が解除される。
【００６０】
このように第２係止部２１は、第１係止部１９が係合を開始させるとき、すなわち一方のコネクタハウジング３の嵌合部７と可動ハウジング１３との嵌合が完了した状態では、すでに初期位置に復元されているので、第２係止部２１に永久変形が起きることを防止することができる。
【００６１】
このような係止部１５の係合や係合解除のタイミングは、一対のコネクタハウジング３，５を嵌合させると、まず、一方のコネクタハウジング３の解除部２５がフレーム１１の第２係止部２１を撓ませ、第２係止部２１の第２係合部４３と可動ハウジング１３の第２被係合部４５との係合が解除される。
【００６２】
このとき、嵌合部７の変位突起４１が可動ハウジング１３の第１係止部１９を撓ませ、第１係止部１９の第１係合部３９とフレーム１１の第１被係合部２３とが係合される。この第１係止部１９の係合により、第２係止部２１の係合が解除されていても、可動ハウジング１３をフレーム１１内に保持することができる。
【００６３】
そして、一方のコネクタハウジング３の嵌合部７と可動ハウジング１３とが完全に嵌合すると、第１係止部１９の係合が解除され、可動ハウジング１３がフレーム１１内を移動可能となる。
【００６４】
このように係止部１５の係合や係合解除を設定することにより、嵌合部７と可動ハウジング１３とが完全に嵌合するまで可動ハウジング１３のフレーム１１に対する仮係止位置を保持することができ、嵌合部７と可動ハウジング１３との中途嵌合状態を防止することができる。
【００６５】
このような係止部１５は、復元された状態、すなわち自由状態で、周囲を保護部１７によって覆われている。詳細には、第１係止部１９は、第１保護部４７によって周囲を覆われ、第２係止部２１は、第２保護部４９によって周囲を覆われている。
【００６６】
第１保護部４７は、可動ハウジング１３の両側壁にそれぞれ設けられ、第１係止部１９の周囲を覆うように切り欠かれた凹部となっている。この第１保護部４７は、第１係止部１９が復元された状態、すなわち第１係止部１９の自由状態で、第１係止部１９の第１係合部３９が可動ハウジング１３の側壁から露出しないように第１係止部１９の周囲を覆っている。
【００６７】
このように第１保護部４７を第１係止部１９の周囲に設けることにより、第１係止部１９の自由状態で、第１係止部１９が可動ハウジング１３の外方に向けて大きく張り出すことがなく、周辺部材との干渉を防止でき、第１係止部１９の損傷を防止することができる。
【００６８】
第２保護部４９は、フレーム１１の収容室３７を構成する上面側の壁部となっており、第２係止部２１の周囲を常時、覆っている。この第２保護部４９は、第２係止部２１が撓まされた状態、或いは復元された状態であっても、常時、第２係止部２１を覆っており、第２係止部２１が常に収容室３７内から外部に露出することがない。
【００６９】
このように第２保護部４９を第２係止部２１の周囲に設けることにより、第２係止部２１がどのような状態であっても、第２係止部２１がフレーム１１の外部に露出することがなく、周辺部材との干渉を防止でき、第２係止部２１の損傷を防止することができる。
【００７０】
このような保護部１７で保護された係止部１５によってフレーム１１内に保持される可動ハウジング１３，１３は、一方のコネクタハウジング３の嵌合部７との嵌合を完了するタイミングが、一方の可動ハウジング１３と他方の可動ハウジング１３とで異なるように設定されている。
【００７１】
詳細には、フレーム１１の収容室３７内において、一方の可動ハウジング１３（ここでは図９における上側の可動ハウジングとする）が、他方の可動ハウジング１３（ここでは図９における下側の可動ハウジングとする）よりも嵌合方向前側に位置されている。
【００７２】
このため、一対のコネクタハウジング３，５を嵌合させると、まず、一方の可動ハウジング１３が一方のコネクタハウジング３の嵌合部７との嵌合を完了し、次に、他方の可動ハウジング１３が一方のコネクタハウジング３の嵌合部７との嵌合を完了する。
【００７３】
なお、コネクタ１では、フレーム１１が静止系部材であるピラー２７に固定されているので、最後にフレーム１１と一方のコネクタハウジング３の嵌合部７との嵌合が完了するように設定されている。
【００７４】
このようなコネクタ１における一対のコネクタハウジング３，５の嵌合は、まず、図９に示すように、一方の可動ハウジング１３が１番目に嵌合を開始し、他方の可動ハウジング１３が２番目に嵌合を開始し、フレーム１１の中央に位置する収容室３７が３番目に嵌合を開始するように、フレーム１１の収容室３７内に可動ハウジング１３を収容し、一対のコネクタハウジング３，５の嵌合を開始する。
【００７５】
次に、図１０に示すように、一方のコネクタハウジング３の嵌合部７を他方のコネクタハウジング５の被嵌合部９にさらに挿入させ、一方のコネクタハウジング３の嵌合部７と可動ハウジング１３，１３との嵌合を開始する。
【００７６】
このとき、一方の可動ハウジング１３において、第１係止部１９は、嵌合部７の変位突起４１と当接し、第１係止部１９を外方に向けて撓ませて第１係合部３９と第１被係合部２３との係合を開始する。
【００７７】
一方、第２係止部２１は、一方のコネクタハウジング３の解除部２５が摺動部と当接し、第２係止部２１を上方に向けて撓ませて第２係合部４３と第２被係合部４５との係合解除を開始する。
【００７８】
次に、図１１に示すように、一方のコネクタハウジング３の嵌合部７を他方のコネクタハウジング５の被嵌合部９にさらに挿入させ、一方のコネクタハウジング３の嵌合部７と可動ハウジング１３，１３との嵌合をさらに進行する。
【００７９】
このとき、一方の可動ハウジング１３において、第１係止部１９は、嵌合部７の変位突起４１によって完全に外方に向けて撓まされ、第１係合部３９と第１被係合部２３とが係合される。
【００８０】
一方、第２係止部２１は、第２係合部４３と第２被係合部４５との係合が完全に解除され、一方のコネクタハウジング３の解除部２５と摺動部との当接が終了し、初期位置に復元される。
【００８１】
次に、不図示ではあるが、一方のコネクタハウジング３の嵌合部７を他方のコネクタハウジング５の被嵌合部９にさらに挿入させ、一方のコネクタハウジング３の嵌合部７と一方の可動ハウジング１３との嵌合を完了すると共に、一方のコネクタハウジング３の嵌合部７と他方の可動ハウジング１３との嵌合をさらに進行する。
【００８２】
このとき、一方の可動ハウジング１３において、第１係止部１９は、嵌合部７の変位突起４１との当接を終了し、初期位置に復元され、第１係合部３９と第１被係合部２３との係合が完全に解除される。
【００８３】
この第１係止部１９の係合解除により、一方の可動ハウジング１３は、フレーム１１に対する仮係止が解除され、一方のコネクタハウジング３の嵌合方向に移動され、一方のコネクタハウジング３の挿入を阻害することがない。
【００８４】
なお、他方の可動ハウジング１３では、一対のコネクタハウジング３，５の嵌合をさらに進行することにより、一方の可動ハウジング１３と同様の係止部１５の動作が行われるので、説明を省略する。
【００８５】
最後に、図１２に示すように、一方のコネクタハウジング３の嵌合部７を他方のコネクタハウジング５の被嵌合部９にさらに挿入させ、一方のコネクタハウジング３の嵌合部７とフレーム１１の中央に位置する収容室３７とが嵌合され、一対のコネクタハウジング３，５の嵌合を完了する。
【００８６】
なお、一対のコネクタハウジング３，５は、嵌合が完了した状態で、一方のコネクタハウジング３の係合部３３と他方のコネクタハウジング５のロック部３５とが係合することにより嵌合状態が保持される。
【００８７】
一方、嵌合が完了した一対のコネクタハウジング３，５は、他方のコネクタハウジング５の仮ロック部３１とピラー２７の取付孔２９との係合を解除し、一方のコネクタハウジング３に撓み可能に設けられた本ロック部５１をピラー２７の取付孔２９に係合させることによりピラー２７に対する組付状態が保持される。
【００８８】
このように一方のコネクタハウジング３の嵌合部７と、他方のコネクタハウジング５の被嵌合部９を構成するフレーム１１と可動ハウジング１３，１３との嵌合完了のタイミングを異ならせることにより、一対のコネクタハウジング３，５の嵌合における挿入力のピークを分散させることができ、一対のコネクタハウジング３，５の嵌合作業性を向上することができる。
【００８９】
このようなコネクタ１では、係止部１５が、嵌合部７と可動ハウジング１３との嵌合が完了した状態で、可動ハウジング１３の仮係止を解除して復元されるので、可動ハウジング１３の仮係止を解除した係止部１５が撓まされたままの状態で、可動ハウジング１３の嵌合が完了してしまうことがない。
【００９０】
このため、可動ハウジング１３の嵌合が完了した状態では、係止部１５が撓まされたまま保持されることがないので、係止部１５の永久変形を防止することができる。
【００９１】
また、復元された係止部１５は、周囲を保護部１７によって覆われているので、係止部１５が自由状態で外部に露出することがなく、周辺部材との干渉を防止でき、係止部１５の損傷を防止することができる。
【００９２】
従って、このようなコネクタ１では、係止部１５の永久変形や損傷を防止でき、可動ハウジング１３の仮係止を安定して行うことができる。
【００９３】
また、第１係止部１９は嵌合部７と可動ハウジング１３とが嵌合するときに、可動ハウジング１３をフレーム１１内に保持し、第２係止部２１は一対のコネクタハウジング３，５の嵌合前に、可動ハウジング１３をフレーム１１内に保持するので、可動ハウジング１３の嵌合が完了するまでの間に、可動ハウジング１３をフレーム１１内に確実に仮係止させることができる。
【００９４】
さらに、複数の可動ハウジング１３，１３は、嵌合部７との嵌合を完了するタイミングがそれぞれ異なるので、一対のコネクタハウジング３，５の嵌合力をさらに分散することができ、一対のコネクタハウジング３，５の嵌合作業性を向上することができる。
【００９５】
なお、本発明の実施の形態に係るコネクタでは、他方のコネクタハウジングがピラーなどの静止系部材に固定されているが、これに限らず、一対のコネクタハウジングのうちいずれか一方を静止系部材に固定しなくともよい。
【００９６】
また、係止部は、フレームと可動ハウジングとの両方に設けられているが、これに限らず、少なくともいずれか一方に係止部が設けられていればよく、一方のみに係止部を設けてもよい。
【００９７】
さらに、可動ハウジングは、フレーム内に２つ配置されているが、これに限らず、２つ以上可動ハウジングをフレーム内に移動可能に配置させてもよい。加えて、複数の可動ハウジングは、フレームの幅方向だけでなく、高さ方向に配置させてもよい。
【符号の説明】
【００９８】
１…コネクタ
３，５…コネクタハウジング
７…嵌合部
９…被嵌合部
１１…フレーム
１３…可動ハウジング
１５…係止部
１７…保護部
１９…第１係止部
２１…第２係止部
２３…第１被係合部
２５…解除部
【図１】
2016085897.tif 000003
【図２】
2016085897.tif 000004
【図３】
2016085897.tif 000005
【図４】
2016085897.tif 000006
【図５】
2016085897.tif 000007
【図６】
2016085897.tif 000008
【図７】
2016085897.tif 000009
【図８】
2016085897.tif 000010
【図９】
2016085897.tif 000011
【図１０】
2016085897.tif 000012
【図１１】
2016085897.tif 000013
【図１２】
2016085897.tif 000014